(57)【要約】【課題】  低トルク、耐グリース漏洩性、耐ダスト性、および省スペースを同時にかつ低コストで達成することができる通電軸受および画像形成装置を提供する。【解決手段】  内輪２と外輪３の間に、保持器５の各ポケット１１に保持された玉４を介在させ、導電グリースを封入した転がり軸受からなる通電軸受１において、上記保持器５が、環状体の一側面に一部が開放されて内部に玉４を保持するポケット１１を、前記環状体の円周方向複数箇所に有する冠形状であり、前記各ポケット１１の内面に、保持器内径側のポケット開口縁から保持器外径側へ延びる凹み部を設けることにより、玉４に付着しているグリースが保持器５の内径面で掻き取られる量を減少させ、内輪２の外径部へのグリース付着を防止する。【選択図】      図１
2010261522.tif 000002
【特許請求の範囲】
【請求項１】
内輪と外輪の間に、保持器の各ポケットに保持された転動体を介在させ、導電グリースを封入した転がり軸受からなる通電軸受において、
上記保持器が、環状体の一側面に一部が開放されて内部に玉を保持するポケットを、前記環状体の円周方向複数箇所に有する冠形状であり、前記各ポケットの内面に、保持器内径側のポケット開口縁から保持器外径側へ延びる凹み部を設けたことを特徴とする通電軸受。
【請求項２】
請求項１において、上記ポケットの凹み部の軸方向位置が、内輪の軌道面の肩部と略一致する位置である通電軸受。
【請求項３】
請求項１または請求項２において、上記凹み部が、上記ポケットの開口縁における保持器円周方向の中心の両側に位置して複数箇所に設けられた通電軸受。
【請求項４】
請求項１または請求項２において、上記凹み部が、上記ポケットの開口縁における保持器円周方向の中心から両側に広がって１箇所に設けられた通電軸受。
【請求項５】
請求項１ないし請求項４のいずれか１項において、上記各ポケットの背面における保持器内径縁から保持器外径側へ延びる凹み部を設けた通電軸受。
【請求項６】
請求項４または請求項５において、上記凹み部は、保持器内径側の開口縁から玉配列ピッチ円の付近まで延びていて、保持器内径縁から玉配列ピッチ円に近づくに従って徐々に浅くかつ幅狭となる形状である通電軸受。
【請求項７】
請求項１ないし請求項６のいずれか１項において、前記各ポケットにおける保持器外径側での軸方向厚さを、保持器内径側での軸方向厚さよりも厚くした通電軸受。
【請求項８】
請求項１ないし請求項７のいずれか１項において、前記各ポケットの開放側先端部における保持器外径側先端部の軸方向への突出長を、保持器内径側先端部の軸方向への突出長よりも短くした通電軸受。
【請求項９】
請求項１ないし請求項８のいずれか１項において、複写機またはプリンタ等の事務機における画像形成装置の感光ドラムの支持用に使用される通電軸受。
【請求項１０】
請求項９記載の通電軸受を感光ドラムの支持に用いた画像形成装置。
【請求項１１】
請求項１ないし請求項９のいずれか１項において、上記導電グリースは、体積抵抗率が５×１０５Ω・ｃｍ以下であり、かつ混和ちょう度が２５０以上３５０以下となるように、導電性カーボンを２０重量％以上４０重量％以下配合してなる導電性潤滑グリースを封入した通電軸受。
【請求項１２】
請求項１１において、導電性カーボンの分散助剤として、リチウム石鹸を２重量％以上１０重量％以下配合してなる前記導電性潤滑グリースを封入した通電軸受。
【請求項１３】
請求項１１または請求項１２において、導電性カーボンが、粒子径３００Å以上８００Å以下であり、フタル酸ジブチルの吸油量５０〜３００ｍｌ／１００ｇの導電性カーボンである前記導電性潤滑グリースを封入した通電軸受。
【発明の詳細な説明】
【技術分野】
【０００１】
この発明は、通電軸受および画像形成装置に関し、例えば、印刷機等の感光ドラムやヒートローラに使用される軸受のグリース漏れを解決する技術に関する。
【背景技術】
【０００２】
印刷機等の感光ドラムやヒートローラに使用される軸受には、長寿命、低トルク、耐グリース漏洩性等が要求される。事務機器や情報機器には、グリースや油分により劣化が促進されやすい樹脂部品が多く、グリース漏れが生じない方が良い。また、感光ドラム用軸受からグリースが漏れると、印刷物にグリースが付着してしまうため、特に耐グリース漏洩性が要求される。事務機器等の通電グリースとして用いられるカーボングリースは、増ちょう剤にカーボンを用いているため、ちょう度が高く油が分離し易い。そのためグリースが軸受外部に漏れやすい。
【０００３】
軸受からのグリース漏れは、通常、シール形状にて対策するのが一般的である。シール形式を非接触とすると低トルクとなるが、耐グリース漏洩性、耐ダスト性が問題となる。シール形式を接触とすれば、耐ダスト性は高くなるが、高トルクとなる。また、シールリップ部分にグリースが存在した状態で軸受温度が上昇すれば、次のような現象が起きる。すなわち軸受内部の空気の膨張によって軸受内部の圧力が上昇し、軸受外部と圧力差が生じ、シールリップ部分を開いてグリースや空気が軸受外部へ漏洩する現象（以下、この現象を「呼吸現象」と称す）が起きる。このような温度サイクルによる呼吸現象により、グリース漏洩も起こる。特に、印刷機における感光ドラムやヒートローラ部は、印字のために加熱しなければならず、稼動時と停止時の温度差が大きいため、呼吸現象を生じ易い。
例えば、グリースの構成により、グリース組成物の漏洩を防ぐ方法がある（特許文献１）。これは、グリースの構成によって、離油度を低くしている。同様に、グリースのちょう度により漏洩性を高めているものもある（特許文献２）。
【先行技術文献】
【特許文献】
【０００４】
【特許文献１】特開２００７−３２６０８号公報
【特許文献２】特開２００５−９７５３２号公報
【特許文献３】特開２００２−５３８９０号公報
【発明の概要】
【発明が解決しようとする課題】
【０００５】
上記特許文献１または２に開示のものでは、シールリップにグリースが存在すれば呼吸現象により軸受からグリースが容易に漏洩することとなる。軸受の軸方向にスリンガ等を設けてグリース漏れの防止を図るものでは、前記軸方向にスリンガ等を設けるためのスペースが必要であり、部品点数が増えて製造コストが高くなる。
【０００６】
この発明の目的は、低トルク、耐グリース漏洩性、耐ダスト性、および省スペースを同時にかつ低コストで達成することができる通電軸受および画像形成装置を提供することである。
【課題を解決するための手段】
【０００７】
この発明の通電軸受は、内輪と外輪の間に、保持器の各ポケットに保持された転動体を介在させ、導電グリースを封入した転がり軸受からなる通電軸受において、上記保持器が、環状体の一側面に一部が開放されて内部に玉を保持するポケットを、前記環状体の円周方向複数箇所に有する冠形状であり、前記各ポケットの内面に、保持器内径側のポケット開口縁から保持器外径側へ延びる凹み部を設けたことを特徴とする。
【０００８】
この構成によると、冠形状の玉軸受用保持器を適用し、このポケットの内面に、保持器内径側のポケット開口縁から保持器外径側へ延びる凹み部を設けたため、玉に付着している導電グリースを保持器の内径面で掻き取る量が減少する。これにより、保持器ポケット背面側からのグリース漏洩を抑制し、内輪外径部へのグリース付着を防止することができる。それ故、内輪のシール溝への導電グリースの流動を防止でき、よって軸受からのグリース漏れを防止できる。
【０００９】
前記シール溝への導電グリースの流動を防止できるため、前記呼吸現象すなわち軸受内部の空気の膨張によって軸受内部の圧力が上昇し、軸受外部と圧力差が生じ、シールリップ部分を開いてグリースや空気が軸受外部へ漏洩する現象があったとしても、軸受からの導電グリースの漏れを防ぐことができる。この通電軸受を事務機器や情報機器に適用した場合に、グリース漏れが生じないため、機器に用いられる樹脂部品であってグリースや油分に弱い樹脂部品の劣化を未然に防止することができる。印刷物等へのグリース付着をも防止することが可能となる。また、シールを非接触とすることができるため、低トルク化も図れ、製品の省電力化となる。さらに、軸受からグリースが漏れにくいため、軸受のグリース封入量を増やすことができ、軸受が長寿命となる。
また、導電性のよいグリース（特許文献３）は混和ちょう度が高いため、従来の保持器では、グリースが漏洩しやすいが、前記保持器を用いることで、グリースを軸受外部に漏洩させず、かつ導電性の良好な軸受とすることができる。
前記保持器により、グリース漏洩を防ぐことができるため、内輪のシール溝の形状を設計変形する必要がなく、また通電軸受の軸方向に、スリンガ等を設ける必要もない。したがって、部品点数を増やす必要がなく、省スペース化を達成することができる。従来のものより、部品点数低減による製造コストの低減を図ることができる。
【００１０】
上記ポケットの凹み部の軸方向位置が、内輪の軌道面の肩部と略一致する位置であっても良い。保持器の内径面に堆積する通電グリースが多量となるのは、転動体と内輪の軌道面との接触により、この軌道面の肩部と一致する軸方向位置の近傍となる。したがって、凹み部の軸方向位置を、前記肩部と略一致する位置とすることで、保持器の内径面と前記肩部との径方向隙間を大きくしたものと同様の作用効果を得る。よって、転動体に付着している通電グリースを、保持器の内径面で掻き取る量が効果的に減少し、通電グリースが保持器の内径面に多量に堆積することがない。
【００１１】
上記凹み部が、上記ポケットの開口縁における保持器円周方向の中心の両側に位置して複数箇所に設けられても良い。
このように、保持器円周方向の中心の両側の位置に凹み部が複数箇所に設けられていることで、軸受の回転方向によらず、転動体の表面のグリース掻き取り量を減少させることができる。
【００１２】
上記凹み部が、上記ポケットの開口縁における保持器円周方向の中心から両側に広がって１箇所に設けられても良い。この場合、１箇所の凹み部により、転動体の表面のグリース掻き取り量を減少させ得るため、保持器構造を簡単化することができる。よって、この凹み部を形成するための金型構造を簡単化すると共に、保持器内径面に溜まるグリース量を減少させることが可能となる。各ポケットの内面に凹み部を砥石等により後加工する場合、複数箇所の凹み部を形成する場合に比べて工数低減を図ることができる。それ故、製造コストの低減を図ることが可能となる。
【００１３】
上記各ポケットの背面における保持器内径縁から保持器外径側へ延びる凹み部を設けても良い。これにより、ポケットでの内径面の面積を低減できて、グリース漏れ防止の効果を上げることができる。
凹み部は、保持器内径側の開口縁から玉配列ピッチ円の付近まで延びていて、保持器内径縁から玉配列ピッチ円に近づくに従って徐々に浅くかつ幅狭となる形状であっても良い。
前記各ポケットにおける保持器外径側での軸方向厚さを、保持器内径側での軸方向厚さよりも厚くしても良い。
【００１４】
前記各ポケットの開放側先端部における保持器外径側先端部の軸方向への突出長を、保持器内径側先端部の軸方向への突出長よりも短くしても良い。この場合、軸受運転時に外輪からの導電グリースは、保持器外径側先端部で掻き取られ、導電グリースが内輪に付着しない。内輪からの導電グリースも、保持器外径側先端部で掻き取られ、転動体に付着する導電グリース量が少なくなり、導電グリースが転動体の回転の極に堆積することが抑制される。
【００１５】
複写機またはプリンタ等の事務機における画像形成装置の感光ドラムの支持用に使用される通電軸受であっても良い。この場合、事務機の樹脂部品に導電グリースが付着することを防止し、グリースや油分に弱い樹脂部品の劣化を未然に防止できる。印刷物等へのグリース付着をも防止できる。
請求項９記載の通電軸受を感光ドラムの支持に用いた画像形成装置であっても良い。
上記導電グリースは、体積抵抗率が５×１０５Ω・ｃｍ以下であり、かつ混和ちょう度（ＪＩＳ  Ｋ２２２０）が２５０以上３５０以下となるように、導電性カーボンを２０重量％以上４０重量％以下配合してなる導電性潤滑グリースを封入した通電軸受であっても良い。
導電性カーボンの分散助剤として、リチウム石鹸を２重量％以上１０重量％以下配合してなる前記導電性潤滑グリースを封入した通電軸受であっても良い。
導電性カーボンが、粒子径３００Å以上８００Å以下であり、フタル酸ジブチルの吸油量５０〜３００ｍｌ／１００ｇの導電性カーボンである前記導電性潤滑グリースを封入した通電軸受であっても良い。
【発明の効果】
【００１６】
この発明の通電軸受は、内輪と外輪の間に、保持器の各ポケットに保持された転動体を介在させ、導電グリースを封入した転がり軸受からなる通電軸受において、上記保持器が、環状体の一側面に一部が開放されて内部に玉を保持するポケットを、前記環状体の円周方向複数箇所に有する冠形状であり、前記各ポケットの内面に、保持器内径側のポケット開口縁から保持器外径側へ延びる凹み部を設けたため、低トルク、耐グリース漏洩性、耐ダスト性、および省スペースを同時にかつ低コストで達成することができる。
【図面の簡単な説明】
【００１７】
【図１】（ａ）は、この発明の一実施形態に係る通電軸受の部分拡大断面図、（ｂ）は同軸受のシール部材付近の拡大断面図である。
【図２】同玉軸受用保持器の斜視図である。
【図３】（Ａ）は同保持器の一例の部分拡大斜視図、（Ｂ）は同斜視図に仮想円筒を加えた状態を示す斜視図である。
【図４】（Ａ）は同保持器の他の一例の部分拡大斜視図、（Ｂ）は同斜視図に仮想多角柱を加えた状態を示す斜視図である。
【図５】（Ａ）は同保持器のさらに他の一例の部分拡大斜視図、（Ｂ）は同斜視図に仮想リングを加えた状態を示す斜視図である。
【図６】同保持器のポケットと仮想リングの関係を断面で示す説明図である。
【図７】この発明の他の実施形態にかかる玉軸受用保持器の斜視図である。
【図８】この発明のさらに他の実施形態にかかる玉軸受用保持器の斜視図である。
【図９】この発明のさらに他の実施形態にかかる玉軸受用保持器の部分拡大斜視図である。
【図１０】この発明のさらに他の実施形態にかかる玉軸受用保持器の部分拡大斜視図である。
【図１１】この発明のさらに他の実施形態にかかる玉軸受用保持器の部分拡大斜視図である。
【図１２】玉軸受用保持器のポケットと内輪軌道面の間での軸方向位置の関係の説明図である。
【図１３】（Ａ）は図３に示す構造の保持器を組み込んだ玉軸受のグリース漏れ試験の結果の説明図、（Ｂ）は（Ａ）の部分拡大図である。
【図１４】（Ａ）は一般的な冠形状の保持器を組み込んだ玉軸受のグリース漏れ試験の結果の説明図、（Ｂ）は（Ａ）の部分拡大図である。
【図１５】（Ａ）はこの発明のさらに他の実施形態にかかる玉軸受用保持器の部分拡大斜視図、（Ｂ）は同斜視図に仮想円筒を加えた状態を示す斜視図である。
【図１６】この発明の他の実施形態の玉軸受用保持器の斜視図である。
【図１７】同玉軸受用保持器の製造方法の説明図である。
【図１８】同玉軸受用保持器の他の製造方法の説明図である。
【図１９】同玉軸受用保持器の爪先端のポケット中心からの角度の説明図である。
【図２０】同玉軸受用保持器の爪の幅の説明図である。
【図２１】玉軸受用保持器の爪の他の形状例を示す側面図である。
【図２２】玉軸受用保持器の爪のさらに他の形状例を示す側面図である。
【図２３】この発明のさらに他の実施形態にかかるアンギュラ玉軸受の要部拡大断面図である。
【図２４】この発明のさらに他の実施形態にかかるアンギュラ玉軸受の要部拡大断面図である。
【図２５】この発明のさらに他の実施形態にかかるアンギュラ玉軸受の要部拡大断面図である。
【図２６】この発明のさらに他の実施形態にかかる複列アンギュラ玉軸受の要部拡大断面図である。
【図２７】この発明の一実施形態に係る通電軸受を、画像形成装置の感光ドラムの支持用に使用した例を概略表す断面図である。
【発明を実施するための形態】
【００１８】
この発明の一実施形態を図面１ないし図３と共に説明する。この実施形態に係る通電軸受は、例えば、印刷機等の感光ドラムやヒートローラに使用される。ただし、感光ドラムやヒートローラに限定されるものではい。
この通電軸受１は、内外輪２，３と、複数の転動体としての玉４と、保持器５と、シール部材６，６とを有するシール付きの深溝玉軸受である。内輪２と外輪３の軌道面２ａ，３ａの間に、複数の玉４を介在させ、前記保持器５は、これら玉４を保持する。玉４は例えば鋼球からなる。シール部材６，６は、軸受両側面の軸受空間を密封する非接触形のものである。軸受空間に後述する導電グリースが封入される。
【００１９】
前記各シール部材６は、環状の芯金７とこの芯金７に一体に固着されるゴム状部材８とで構成され、外輪３の内周面に形成されたシール取付溝９に外周部が嵌合状態に固定される。このシール部材６の代替手段として、鋼板からなるシールドを用いても良い。内輪２はシール部材６の内径部に対応する位置に、円周溝からなるシール溝１０が形成され、シール部材６の内径側端と内輪２のシール溝１０との間にラビリンスシール隙間δが形成される。
【００２０】
保持器５は、図２に示すように、内部に玉４（図１（ａ））を保持するポケット１１を、環状体１２の円周方向の複数箇所に有する冠形状のものである。各ポケット１１は、環状体１２の一側面に一部が開放されている。各ポケット１１の内面は、玉４の外面に沿った凹球面状の曲面形状とされている。環状体１２の隣合うポケット１１，１１間の部分は連結部１３となる。各ポケット１１の開放側には、保持器円周方向に対面する一対の爪１４，１４が軸方向に突出して設けられている。なお、この明細書において、軸受軸方向のポケット開放側をポケット側と呼び、その反対側を背面側と呼ぶ。
【００２１】
保持器５のポケット１１の内面には、図２、図３に示すように、保持器内径側のポケット開口縁から保持器外径側へ延びる複数の凹み部１６が設けられている。この凹み部１６を設けることにより、玉４に付着している導電グリースが保持器５の内径面で掻き取られる量を減少させ、内輪２の外径部へのグリース付着を防止する。この例では、凹み部１６を、ポケット１１の開口縁における保持器円周方向の中心ＯＷ11の両側に位置する２箇所としている。各凹み部１６の内面形状は、保持器円周方向に沿う断面形状（すなわち保持器中心軸に垂直な平面で断面した断面形状）が、ポケット１１の内面となる凹球面の曲率半径Ｒａよりも小さな曲率半径Ｒｂの円弧状であり、詳しくは図３（Ｂ）に示すように、保持器５の半径方向の直線Ｌを中心とする各仮想円筒Ｖの表面に略沿う円筒面状の形状である。この凹み部１６は、保持器半径方向につき、保持器内径側のポケット開口縁から玉配列ピッチ円ＰＣＤの付近まで延びていて、保持器内径縁から玉配列ピッチ円ＰＣＤに近づくに従って徐々に小さく、つまり徐々に浅くかつ幅狭となる形状である。なお、玉配列ピッチ円ＰＣＤはポケットＰＣＤとも呼ぶ。
２個の凹み部１６の位置は、例えば、ポケット１１の開口縁における保持器円周方向の中心ＯＷ11に対する周方向の配向角度を４０°±１５°とした対称な２箇所である。凹み部１６の深さは、ポケット内面の凹球面の中心Ｏ11から凹み部１６の最深位置までの距離Ｒｃが、玉４の半径の１．０５倍以上となる深さであることが好ましい（丁度１．０５倍であって良い）。
なお、この実施形態では凹み部１６を２箇所としたが、３箇所以上としても良い。
【００２２】
図４のポケットの内面のさらに他の例は、凹み部１６の断面形状（保持器円周方向に沿う断面形状）を、多角形状としたものである。詳しくは、同図（Ｂ）に示すように、保持器５の半径方向の直線ＬＡを中心とする各多角形柱（図示の例では正１０角形柱）ＶＡの表面に略沿う多角形状である。この凹み部１６は、保持器半径方向につき、保持器内径側の開口縁から玉配列ピッチ円ＰＣＤの付近まで延びていて、保持器内径縁から玉配列ピッチ円ＰＣＤに近づくに従って徐々に小さく、つまり徐々に浅くかつ幅狭となる形状である。この図４の実施形態におけるその他の構成は、図３の例と同様である。
【００２３】
図５のさらに他の例は、ポケット１１の内面に設けられる凹み部１６が、ポケット１１の開口縁における保持器円周方向の中心ＯＷ11の両側に位置して２箇所に設けられ、かつ、各凹み部１６が保持器外径縁付近まで延びている。これら凹み部１６の内面の保持器円周方向に沿う断面形状は、ポケット１１の内面となる凹球面の曲率半径Ｒａよりも小さな曲率半径ＲＢｂの円弧状であり、詳しくは同図（Ｂ）に示すように、一つの仮想リングＶＢの表面に略沿った形状である。この仮想リングＶＢは、凹み部１６を加工する砥石の外周面であっても良い。前記仮想リングＶＢは、ポケット１１内に収まるリング外径であって、任意周方向位置の断面形状が円形となるドーナツ状であり、図６のように、リング中心ＯVBが保持器中心軸Ｏに対して傾きを持つ。
【００２４】
なお、この発明において、凹み部１６の保持器円周方向に沿う断面形状は、図３〜図５の各例の形状に限らず、部分楕円状や、矩形溝状、台形溝状や、その他任意の断面形状としても良い。凹み部１６の上記断面形状は、凹み部中心に対して非対称の形状であっても良い。
ポケット１１における内面形状は、球面状に限らず、玉配列ピッチ円ＰＣＤよりも内径側の部分が、保持器内径側開口縁に近づくに従って小径となる形状であれば良く、例えば玉配列ピッチ円ＰＣＤよりも外径側の部分が円筒面状、内径側の部分が円すい面状であっても良い。
【００２５】
図７の例の玉軸受用保持器５は、図３〜図５に示す実施形態において、連結部１３の内径面の背面側を削除したものである。これにより、ポケット１１では、その背面側が円弧状の殻部１１ａで囲まれた形状となる。
図３〜図５の例では、前記凹み部１６により、玉４に付着したグリースを保持器５の内径面で掻き取る量を減らすことができるものの、わずかに付着する場合には、その堆積量が増加するとグリース漏れに繋がってしまう。つまり、この場合、連結部１３の内径面にもグリースが付着し、この部分のグリースが軸方向にしか移動できない。この連結部１３の軸方向の範囲が、内輪２の外径部の存在領域と重なる場合、すなわち連結部１３の内径面が内輪２の軌道面２ａよりも軸受端面側に位置する場合には、連結部１３の内径面からグリースが軸受外に漏れてしまうことになる。そこで、図７のように、連結部１３の内径面の背面側を削除すると、連結部１３の内径面からグリースが軸受外に漏れるのを防ぐことができる。
【００２６】
図７の例では、連結部１３の背面側において、内径面から外径面にわたって削除した例を示しているが、保持器５の強度を考えた場合は、その削除量は少ないことが望ましい。内輪２の外径部へのグリース付着の抑制には、内輪２の外径面と保持器５の内径面との距離を長くすることも有効であることから、連結部１３の内径側のみを一部削除し、外径側に従来のような壁面を残すようにしても良い。すなわち、隣合うポケット１１，１１間の連結部１３の円周方向中央位置における断面において、連結部１３の削除されずに残された内径面の背面側の軸方向位置を、内輪２の軌道面２ａの肩部よりも軌道面２ａ中央側に位置させることが、グリース漏れ防止の上で重要である。このことを、図７の保持器５に仮想線で示す内輪２の断面図を重ねて、軸方向Ｙの位置関係の模式図として図１２に示す。つまり、同図において、連結部１３の軸方向位置Ｙｂが、内輪２の軌道面２ａの肩部の軸方向位置Ｙａよりも軌道面２ａの中央側（Ｙｂ＜Ｙａ）であれば良い。
また、同図におけるＹｂの位置は、連結部１３の内径面が存在してよい背面側の位置であり、その外径側にポケット１１の中央部の背面側の軸方向位置と同じ位置まで延びる外壁面が存在しても良い。同様に、Ｙｂの位置から外径側に向けて連結部１３の軸方向厚さが、背面側へと徐々に、あるいは段階的に厚くなるような形状としても良い。
【００２７】
図８の例の玉軸受用保持器５は、図７の実施形態において、ポケット１１の殻部１１ａの厚さを比較的厚くした例を示す。この場合の殻部１１ａの厚みの増加は、保持器５の内径面の面積増加を招くため、グリース漏れを助長する傾向になる。とりわけ、保持器５の内径面において、堆積するグリースが多量になる位置は、図１２における内輪２の軌道面２ａの肩部と一致する軸方向位置の近傍（符号Ｐで示す）となるので、この軸方向位置の近傍での保持器５の内径面の面積低減が重要である。そこで、この実施形態では、そのポケット１１の殻部１１ａの外面にも凹み部２６を設け、ポケット１１の内径面の面積を低減している。これにより、保持器５の内径面へのグリース堆積量の減少と、保持器単体の強度向上とを両立させることができる。
【００２８】
保持器５の内径面の面積を低減するには、図９に部分拡大斜視図で示すように、ポケット１１の内面に設ける凹み部１６を大きくしても良い。
図１０に部分拡大斜視図で示すように、保持器５を構成する環状体１２を、内径側の軸方向厚さが薄く、外径側に向かって徐々に厚くなる形状とすることで、保持器５の内径面の面積を低減するようにしても良い。同様に、環状体１２の軸方向厚さを、内径側から外径側へと段階的に増加させるようにしても良い。
【００２９】
図１１の例の玉軸受用保持器５は、図８の実施形態において、ポケット１１の開放側に突出する一対の先端部１４の一部を削除して、軽量化を図ったものである。玉軸受１を高速回転で使用する場合、保持器５に作用する遠心力の影響が大きくなる。この遠心力による保持器５の応力を低減するためには、保持器５の軽量化が有効である。そこで、この実施形態では、先端部１４の外径側を一部削除した形状としている。高速回転時に、保持器５の先端部１４では、ポケット１１の中央部に対して外径側に傾くように変形するため、先端部１４の内径側で玉４を案内することになる。したがって、この実施形態のように、先端部１４の外径側を一部削除しても、軸受機能上の悪影響は生じない。
【００３０】
図１３および図１４は、グリース付着状態の確認を行なった試験結果を示す。この試験では、図７の例の保持器５を組み込んだ玉軸受と、一般的な冠形状の保持器とを組み込んだ玉軸受とを、同一条件で運転して比較した。図１３は、図７の例の保持器５を用いた玉軸受のグリース付着状態を示し、図１４は一般的な冠形状の保持器を用いた玉軸受のグリース付着状態を示す。
【００３１】
この試験結果から、一般的な冠形状の保持器を組み込んだ玉軸受（図１４）では、保持器内径面と内輪の外径部との間にグリースが多量存在し、紙面手前方向の内輪シール溝に向かってグリースが漏れてきている。玉軸受にシールが装着されていれば、シール溝とシール先端との間にグリースが流動し、軸受内部の温度上昇とともに軸受外部へ漏洩することになる。実施形態の保持器５を組み込んだ玉軸受（図１３）では、保持器５の内径部に極微量のグリース付着が認められるものの、内輪外径部には認められないことが分かる。
【００３２】
試験結果からわかるように、この実施形態の玉軸受用保持器５では、各ポケット１１の内面に、保持器内径側のポケット開口縁から保持器外径側へ延びる凹み部１６を設けたことにより、玉４に付着しているグリースを保持器５の内径面で掻き取る量が減少する。これにより、内輪２の外径部へのグリース付着を防止することができる。内輪２の外径部へのグリース付着がなければ、内輪２のシール溝１０（図１）へのグリースの流動を防止でき、結果として通電軸受１からのグリース漏れを防止できる。
【００３３】
前記各実施形態において、ポケット１１の内面の凹み部１６の好ましい位置は、図１２に符号Ｐで示す位置である。つまり、凹み部１６の軸受軸方向位置が、保持器５を玉軸受１に組み込んだ際の内輪軌道面２ａの肩部と概ね一致する場所である。なぜなら、保持器５の内径面に堆積するグリースが多量となるのは、玉４と内輪軌道面２ａの接触により、軌道面肩部と一致する軸方向位置の近傍となるからである。
【００３４】
図１５の例の玉軸受用保持器５は、図３〜図５の実施形態において、ポケット１１の内面に設ける２つの凹み部１６を、１つの凹み部１６に置き換えたものである。この凹み部１６の場合も、保持器内径側の開口縁から保持器外径側に延びるものとし、この凹み部１６の内面の保持器円周方向に沿う断面形状（すなわち保持器中心軸に垂直な平面で断面した断面形状）を、ポケット１１の内面となる凹球面の曲率半径Ｒａよりも小さな曲率半径ＲＣｂの円弧状としている。
この凹み部１６は、ポケット１１の開口縁における保持器円周方向の中心ＯＷ11から両側に広がって１箇所に設けられ、凹み部１６の幅Ｗ16は、ポケット１１の保持器円周方向の幅Ｗ11の略全体にわたる幅としている。凹み部１３の幅Ｗ16は、ポケット１１の幅Ｗ11の半分よりも大きいことが好ましく、２／３以上、あるいは３／４以上であることがより好ましい。
凹み部１６の内面形状は、同図１５（Ｂ）に示すように、保持器５の半径方向の直線ＬＣを中心とする仮想円筒ＶＣの表面に略沿う円筒面状の形状である。上記仮想円筒ＶＣは、凹み部１６を加工する砥石の表面であっても良い。この凹み部１６は、保持器半径方向につき、保持器内径側の開口縁から玉配列ピッチ円ＰＣＤまで延びていて、保持器内径縁から玉配列ピッチ円ＰＣＤに至るに従って、徐々に小さく、つまり徐々に浅くかつ幅が狭くなる形状とされている。凹み部１６は、この実施形態では、丁度、玉配列ピッチ円ＰＣＤまで延びているが、玉配列ピッチ円ＰＣＤよりも保持器外径側まで若干延びていても、また玉配列ピッチ円ＰＣＤに若干達しないものであっても良い。
【００３５】
凹み部１６の深さは、ポケット内面の凹球面の中心Ｏ11から凹み部１６の最深位置までの距離ＲＣｃが、玉４の半径の１．０５倍以上となる深さ（丁度１．０５倍であって良い）であることが好ましい。ポケット１１の内面となる凹球面の曲率半径Ｒａは、玉４の半径よりも僅かに大きくし、玉４の半径の１．０５未満としている。
【００３６】
図１６の例の玉軸受用保持器５は、各ポケット１１の開放側に、円周方向に対面する一対の爪１４，１４が軸方向に突出して設けられた冠形状の玉軸受用保持器において、各ポケット１１のうち保持器内径側の爪部１４ａ，１４ａの先端間の間隔よりも、保持器外径側の爪部１４ｂ，１４ｂの先端間の間隔が広く設定されている。さらに、各ポケット１１の内面に、凹み部１６を設けている。
爪部１４ａの突出長は、一般的な冠形状の保持器における爪の突出長と同じにされ、爪部１４ｂの突出長は爪部１４ａよりも長くされている。すなわち各ポケット１１の開放側先端部における保持器内径側先端部つまり爪部１４ａの軸方向への突出長が、保持器外径側先端部つまり爪部１４ｂの軸方向への突出長よりも短くされている。爪１４の保持器円周方向に沿う断面（玉配列のピッチ円ＰＣＤに沿う断面）を示す図１９のように、ポケット中心Ｏ11から爪部１４ａ先端および爪部１４ｂ先端を臨む保持器円周方向に対する角度θa ，θb を、爪部１４ｂ先端を臨む角度θb が、爪部１４ａ先端を臨む角度θa の１．５倍以上（θb ≧１．５θa ）に設定するのが好ましい。
【００３７】
保持器外径側の爪部１４ｂの保持器径方向の幅は、図２０に示すように、ポケット１１における保持器円周方向の中心を通る保持器半径方向の直線Ｎに投影した爪１４の全幅（ポケット幅）をＩt としたとき、前記直線Ｎに投影した爪部１４ｂの幅Ｉe が、前記全幅Ｉt の２／３以下（Ｉe ≦２／３Ｉt ）に設定するのが好ましい。
【００３８】
この実施形態では、図１７や図１８に示す工程で玉軸受用保持器５を製造する。図１７（Ａ）に示すように、保持器外径側の爪部１４ｂの、保持器内径側の爪部１４ａよりも突出する爪先端部分からなる爪部品１４ｂａを、保持器本体５Ａと別体に形成する。そして、内外輪２，３（図１（ａ））および玉４に前記保持器本体５Ａを組み込んだ後に、図１７（Ｂ）のように、爪部品１４ｂａを保持器本体５Ａに、接着、あるいはホットプレス等による溶着、あるいは嵌合する。これにより、保持器組み込み時に、爪１４の付け根で白化や破損が生じるのを避け得る。爪部品１４ｂａは、保持器内径側の爪部１４ａよりも突出する爪先端部分だけでなく、保持器外径側の爪部１４ｂの大部分あるいは全体であってもよい。
【００３９】
図１８の製造方法は、図１８（Ａ）のように、爪部１４ｂの、爪部１４ａよりも突出する爪先端部分１４ｂａを、完成時よりもポケット中心Ｏ11から離反する開放姿勢とした保持器半製品５Ｂを製作する。そして、内外輪２，３（図１（ａ））および玉４に保持器半製品５Ｂを組み込んだ後に、図１８（Ｂ）のように、爪先端部分１４ｂａを玉４の表面に沿う閉鎖姿勢に、熱を加えながら折り曲げて熱変形させたり、あるいは二次加工する。これにより、保持器組み込み時に、爪１４の付け根で白化や破損が生じるのを回避し得る。
【００４０】
図１６の例の玉軸受用保持器５では、外輪３（図１（ａ））からのグリースは、保持器外径側の爪部１４ｂの外径部分で掻き取られ、グリースが内輪２に付着しない。内輪２からのグリースも、保持器内径側の爪部１４ｂの内径部分で掻き取られ、玉４に付着するグリース量が少なくなり、転動体の回転の極にグリースが堆積することを抑制する。掻き取られたグリースは、内輪２の外径面から遠い位置にあるため、掻き取られたグリースが内輪２の外径面に付着することはない。さらに、各ポケット１１の内面に、凹み部１６を設けたことにより、玉４に付着しているグリースを保持器５の内径面で掻き取る量が減少する。これにより、内輪２の外径部へのグリース付着をより確実に防止し得る。
【００４１】
他の例の玉軸受用保持器として、保持器内径側の爪先端よりも保持器外径側の爪先端の突出長が長ければ、爪の形状は、爪１４の形状は、内外輪２，３や非接触シール６（図１）に非接触である限り、どのような形状でも良い。
図２１の他の例では、各ポケット１１の一対の爪１４，１４の先端間の間隔を、保持器外径側から保持器内径側に向けて無段階に狭くしている。さらに、各ポケット１１の内面に、凹み部１６（図３〜図５等）を設けている。
図２２の他の例では、各ポケット１１の一対の爪１４，１４の保持器内径側の先端間を開放し、保持器外径側の先端間を連結している。さらに、各ポケット１１の内面に、凹み部１６（図３〜図５等）を設けている。
【００４２】
導電グリースについて説明する。
本発明に用いられる導電性潤滑グリースは、体積低効率が５×１０５Ω・ｃｍ以下であり、かつ混和ちょう度（ＪＩＳ  Ｋ２２２０）が２５０〜３５０となるように、導電性カーボンを２０〜４０重量％配合してなる導電性潤滑グリースが好ましい。
【００４３】
前記グリースに用いる基油は、特に限定することなく周知の潤滑油を１種または２種以上混合して使用することができ、例えば鉱油、合成炭化水素油、エステル油、エーテル油、グリコール系油またはアルキルシクロペンタン油などが挙げられる。また、近年の複写機等の事務用機器には、ポリカーボネート樹脂などの樹脂部品が多用されているから、これらの樹脂を損傷しない基油として、鉱油、合成炭化水素油、またはグリコール系油を使用することが好ましい。
【００４４】
このような基油に配合する増ちょう剤は、特に限定することなく、金属石鹸などを採用することもできるが、できれば増ちょう剤としてカーボンブラックを採用することが導電性を充分に高めるために好ましい。
【００４５】
グリースに所要の導電性を付与するために添加される導電性カーボンは、粒子径３００〜８００Åのものが好ましく、フタル酸ジブチル（ＤＢＰ）の吸油量５０〜３００ｍｌ／１００ｇの導電性カーボンを採用することが好ましい。導電性グリースの導電性を向上させるためには、できるだけ多量の導電性カーボンを添加することが好ましい。また、粒子径が所定粒径の範囲より小粒径で、吸油性が所定の値よりも大きい導電性カーボンは、増ちょう性が高く、すなわち軸受内でせん断を受けた際に増ちょう性を高くしやすく、凝集したグリースが転走面に広がり難くなって所要の導電性が得られ難い。このような傾向から、より好ましい導電性カーボンは、粒子径４００〜６００Åであり、フタル酸ジブチル（ＤＢＰ）の吸油量５０〜２００ｍｌ／１００ｇの導電性カーボンであり、好ましい配合量は２０〜４０重量％程度である。
【００４６】
導電性カーボンの分散助剤として、リチウム石鹸を２〜１０重量％配合すると、カーボンをよく分散させて凝集を防ぎ、その導電性が充分に発揮される。リチウム石鹸の添加量が２重量％未満では、カーボンの凝集抑制効果がなく、１０重量％を超えて多量に配合すると、リチウム石鹸が増ちょう剤として機能するようになり、グリースを硬化させて流動性を悪くするために好ましくない。
【００４７】
これらの導電性グリースの効果を阻害しない限り、上記導電性潤滑グリースには、酸化防止剤、極圧剤、磨耗抑制剤、防錆剤、洗浄分解剤などの周知の潤滑油用添加剤を添加してもよい。
【００４８】
以上説明した実施形態におけるいずれかの玉軸受用保持器５の背面側を、グリース対策を施したい側に向けて組み込めば、最終製品のグリース密封機能が保たれる。
特に、この実施形態に係る通電軸受１に冠形状の保持器５を適用し、このポケット１１の内面に、保持器内径側のポケット開口縁から保持器外径側へ延びる凹み部１６を設けたため、玉４に付着している導電グリースを保持器５の内径面で掻き取る量が減少する。これにより、保持器ポケット背面側からのグリース漏洩を抑制し、内輪外径部へのグリース付着を防止することができる。それ故、内輪２のシール溝１０への導電グリースの流動を防止でき、よって通電軸受１からのグリース漏れを防止できる。
【００４９】
シール溝１０への導電グリースの流動を防止できるため、前述の呼吸現象があったとしても、通電軸受１からの導電グリースの漏れを防ぐことができる。この通電軸受１を事務機器や情報機器に適用した場合に、グリース漏れが生じないため、機器に用いられる樹脂部品であってグリースや油分に弱い樹脂部品の劣化を未然に防止することができる。印刷物等へのグリース付着をも防止することが可能となる。また、シール部材６を非接触とすることができるため、低トルク化も図れ、製品の省電力化となる。さらに、通電軸受１からグリースが漏れにくいため、軸受のグリース封入量を増やすことができ、軸受が長寿命となる。前記保持器により、グリース漏洩を防ぐことができるため、内輪２のシール溝１０の形状を設計変形する必要がなく、また通電軸受１の軸方向に、スリンガ等を設ける必要もない。したがって、部品点数を増やす必要がなく、省スペース化を達成することができる。従来のものより、部品点数低減による製造コストの低減を図ることができる。
【００５０】
上記ポケット１１の凹み部１６の軸方向位置が、内輪２の軌道面２ａの肩部２ａａ（図１（ａ））と略一致する位置であっても良い。保持器５の内径面に堆積する通電グリースが多量となるのは、玉４と内輪２の軌道面２ａとの接触により、この軌道面２ａの肩部２ａａと一致する軸方向位置の近傍となる。したがって、凹み部１６の軸方向位置を、前記肩部２ａａと略一致する位置とすることで、保持器５の内径面と前記肩部２ａａとの径方向隙間を大きくしたものと同様の作用効果を得る。よって、玉４に付着している通電グリースを、保持器５の内径面で掻き取る量が効果的に減少し、通電グリースが保持器５の内径面に多量に堆積することがない。
【００５１】
図３〜図５に示すように、ポケット１１の凹み部１６が、上記ポケット１１の開口縁における保持器円周方向の中心ＯＷ11の両側に位置して複数箇所に設けられている場合、軸受の回転方向によらず、玉４の表面のグリース掻き取り量を減少させることができる。
図１５に示すように、凹み部１６が、ポケット１１の開口縁における保持器円周方向の中心ＯＷ11から両側に広がって１箇所に設けられている場合、この１箇所の凹み部１６により、玉４の表面のグリース掻き取り量を減少させ得るため、保持器構造を簡単化することができる。よって、この凹み部１６を形成するための金型構造を簡単化すると共に、保持器内径面に溜まるグリース量を減少させることが可能となる。各ポケット１１の内面に凹み部１６を砥石等により後加工する場合、複数箇所の凹み部１６を形成する場合に比べて工数低減を図ることができる。それ故、製造コストの低減を図ることが可能となる。
【００５２】
図５に示すように、各ポケット１１の背面における保持器内径縁から保持器外径側へ延びる凹み部１６を設けた場合、ポケット１１の内径面の面積を低減できて、グリース漏れ防止の効果を上げることができる。
図１６に示すように、各ポケット１１の開放側先端部における保持器外径側先端部の軸方向への突出長を、保持器内径側先端部の軸方向への突出長よりも長くしても良い。この場合、軸受運転時に外輪３からの導電グリースは、保持器外径側先端部つまり爪部１４ｂで掻き取られ、導電グリースが内輪２に付着しない。内輪２からの導電グリースも、保持器外径側先端部つまり爪部１４ｂで掻き取られ、玉４に付着する導電グリース量が少なくなり、導電グリースが転動体の回転の極に堆積することを抑制する。
【００５３】
本実施形態に係る保持器５をアンギュラ玉軸受に適用しても良い。
図２３に示す単列アンギュラ玉軸受においては、内輪２の右側にシール溝１０が形成され、図１と同様の非接触形のシール部材６は右端にのみ設けられる。右側のシール溝１０に対応して外輪内径面の右側端にシール部材固定溝９が形成されている。図２３左側の内輪外径面を成すカウンターボア部ＣＢは、同図右側の外径部２Ｄより小径に形成される。これにより、外輪３および玉４に対し、内輪２をこの左側のカウンターボア部ＣＢから容易に組み込むことができる。さらに、ポケット背面側における保持器５の内径面と、前記カウンターボア部ＣＢとの距離δ２を長くし得る。この場合、保持器の凹み部１６により、玉４に付着しているグリースを保持器５の内径面で掻き取る量が減少する相乗効果により、左側のカウンターボア部ＣＢへのグリース付着防止を図ることが可能となる。
【００５４】
図２４に示す他の例では、軌道面２ａ等から同図左側に押し出されるグリースについて、凹み部１６により、玉４付着のグリースを保持器５の内径面５ｄで掻き取る量が減少する。これにより、内輪２の外径部２Ｄへのグリース付着を防止でき、シール溝１０へのグリース流動を防止し得る。
図２５の他の例のように、内外輪両側にシール部材６，６が設けられていても良い。軌道面２ａ等から同図右側に押し出されるグリースは、右側のシール部材６によりグリース漏れを防止し得る。軌道面２ａ等から同図左側に押し出されるグリースについて、保持器５の凹み部１６により、玉４に付着しているグリースを内径面５ｄで掻き取る量が減少する。
【００５５】
図２６に示す複列アンギュラ玉軸受においては、軌道面２ａ，３ａ間に複列の玉４を介在させ、各列の保持器５が各列における複数の玉４を保持している。各列の保持器５のポケット開放側を軸方向内方に向け、ポケット背面側がシール部材６にやや離隔して対向する。換言すれば、２個の保持器５，５のポケット面が向かい合うように配置される。軸受空間には前述の導電グリースが封入される。これらアンギュラ玉軸受においても、前述の深溝玉軸受と同様の作用効果を奏する。
なお、図２３乃至図２６のアンギュラ玉軸受では、非接触形のシール部材６を適用したが、各アンギュラ玉軸受において、接触形のシール部材を適用することも可能である。この場合、グリース漏れ防止効果をさらに高めることができる。
【００５６】
図２７に示すように、複写機またはプリンタ等の事務機における画像形成装置ＧＫの感光ドラムＫＤの支持用に使用される通電軸受１であっても良い。この画像形成装置ＧＫのケーシングＫＳの一側壁部および他側壁部に、二個の通電軸受１，１の各外輪３が嵌合され、外輪端面が図示外の手段により抜け止めされる。これら通電軸受１の内輪２，２に、感光ドラムＫＤの主軸ＫＤｊの両端部が嵌合される。感光ドラムＫＤを伝わって内輪２に流入した静電気は、内輪２→導電グリース→外輪３という経路、および内輪２→玉４→外輪３という経路で外輪３に流入し、外輪３から放電され得る。
この場合、複写機または事務機の樹脂部品に導電グリースが付着することを防止し、グリースや油分に弱い樹脂部品の劣化を未然に防止できる。印刷物等へのグリース付着をも防止できる。
通電軸受１が搬送装置の搬送ローラとして用いられる場合、例えば、搬送面を伝わって外輪に流入した電気を、外輪３→導電グリース→内輪２という経路、および外輪３→玉４→内輪２という経路で内輪に流入させ、この内輪２に嵌合した軸に導電させるようにしても良い。
【符号の説明】
【００５７】
１…通電軸受
２…内輪
３…外輪
４…玉
５…玉軸受用保持器
１１…ポケット
１２…環状体
１６…凹み部
【図１】
2010261522.tif 000003
【図２】
2010261522.tif 000004
【図３】
2010261522.tif 000005
【図４】
2010261522.tif 000006
【図５】
2010261522.tif 000007
【図６】
2010261522.tif 000008
【図７】
2010261522.tif 000009
【図８】
2010261522.tif 000010
【図９】
2010261522.tif 000011
【図１０】
2010261522.tif 000012
【図１１】
2010261522.tif 000013
【図１２】
2010261522.tif 000014
【図１３】
2010261522.tif 000015
【図１４】
2010261522.tif 000016
【図１５】
2010261522.tif 000017
【図１６】
2010261522.tif 000018
【図１７】
2010261522.tif 000019
【図１８】
2010261522.tif 000020
【図１９】
2010261522.tif 000021
【図２０】
2010261522.tif 000022
【図２１】
2010261522.tif 000023
【図２２】
2010261522.tif 000024
【図２３】
2010261522.tif 000025
【図２４】
2010261522.tif 000026
【図２５】
2010261522.tif 000027
【図２６】
2010261522.tif 000028
【図２７】
2010261522.tif 000029